(57)【特許請求の範囲】
【請求項１】
被計測者の眼球の前眼房を横切るように光を出射する出射手段と、
前眼房を横切った前記光を受光する受光手段と、
前記出射手段および前記受光手段が位置決めの際に眼球の奥側方向へ移動するのに伴い、眼球の瞼を眼球の奥側方向に向けて押し込むことで瞼を開かせ、当該出射手段および当該受光手段が位置決めされた状態で瞼を押し込んだ状態に維持する開瞼手段と
を備える計測装置。
【請求項２】
前記開瞼手段は、眼球に沿って奥側に向けて開きながら瞼を奥側に押し込むように変形する弾性部材である請求項１に記載の計測装置。
【請求項３】
前記開瞼手段は、
被計測者の上眼瞼を抑える上眼瞼抑え部と、
被計測者の下眼瞼を抑える下眼瞼抑え部と
に分離されている
ことを特徴とする請求項１または２記載の計測装置。
【請求項４】
前記出射手段および前記受光手段は、前記上眼瞼抑え部および前記下眼瞼抑え部の間において、一方が目頭側に配置され、他方が目尻側に配置される
ことを特徴とする請求項３に記載の計測装置。
【請求項５】
前記開瞼手段を瞼が開く向きに移動可能に支持する支持手段を備える
ことを特徴とする請求項１乃至４のいずれか１項記載の計測装置。
【請求項６】
駆動源と、
前記駆動源からの駆動力を前記支持手段に伝達し瞼が開く向きに当該支持手段を移動させる伝達手段と
を備える
ことを特徴とする請求項５に記載の計測装置。
【発明の詳細な説明】
【技術分野】
【０００１】
本発明は、計測装置に関する。
【背景技術】
【０００２】
特許文献１には、所定の位置に予め配された眼球に光を照射する光源装置と、光源装置から出射された光に照射された眼球の角膜と空気との境界面による第１の後方散乱光の強度および角膜と前眼房との境界面による第２の後方散乱光の強度をそれぞれ検出する光検出器と、第１および第２の後方散乱光の強度に基づいて、前眼房内を満たす眼房水の屈折率を求める屈折率算出手段と、眼房水の屈折率と眼房水中のグルコース濃度との対応関係が予め記憶された記憶部と、記憶部に記憶された対応関係、および屈折率算出手段により求められた眼房水の屈折率に基づいて、眼房水中のグルコース濃度を求めるグルコース濃度算出手段とを備えたことを特徴とするグルコース濃度測定装置が記載されている。
【０００３】
特許文献２には、濃度未知の旋光性物質以外の妨害旋光性物質によって発現する旋光角範囲が既知である尿の旋光角を測定し、前記旋光性物質の濃度Ｃ［ｋｇ／ｄｌ］を（Ａ−Ａｈ）／（α×Ｌ）≦Ｃ≦（Ａ−Ａｌ）／（α×Ｌ）
但し、Ａ：測定された尿の旋光角［ｄｅｇ］
Ａｈ：妨害旋光性物質によって発現する旋光角の最大値［ｄｅｇ］
Ａｌ：妨害旋光性物質によって発現する旋光角の最小値［ｄｅｇ］
α：旋光性物質の比旋光度［ｄｅｇ／ｃｍ・ｄｌ／ｋｇ］
Ｌ：測定光路長［ｃｍ］
の範囲であると判定する尿検査方法が記載されている。
【先行技術文献】
【特許文献】
【０００４】
【特許文献１】特許第３５４３９２３号公報
【特許文献２】特開平０９-１３８２３１号公報
【発明の概要】
【発明が解決しようとする課題】
【０００５】
ところで、被計測者の眼球の前眼房を横切るように光を出射し、前眼房を横切って眼球外に出てきた光を受光することで前眼房内の眼房水に関する光計測を行う場合、眼球の角膜と空気との屈折率差によって決まる屈折方向を考慮して、照射手段および受光手段を位置決めする必要がある。具体的には、角膜の頂部の位置よりも眼球の後側（奥側）に照射手段および受光手段を位置決めする必要がある。
しかしながら、単に照射手段および受光手段を角膜の頂部の位置よりも後側に配置しようとすると、前眼房を横切るように光を出射及び受光する際に、被計測者の瞼やまつ毛等の眼球周辺の部位が光路上の障害となる場合があった。
【０００６】
そこで、本発明では、単に照射手段および受光手段を角膜の頂部の位置よりも後側に配置する場合と比較し、前眼房を横切るように光を出射及び受光が容易な計測装置を提供することを目的とする。
【課題を解決するための手段】
【０００７】
請求項１に記載の発明は、被計測者の眼球の前眼房を横切るように光を出射する出射手段と、前眼房を横切った前記光を受光する受光手段と、前記出射手段および前記受光手段が位置決めの際に眼球の奥側方向へ移動するのに伴い、眼球の瞼を眼球の奥側方向に向けて押し込むことで瞼を開かせ、当該出射手段および当該受光手段が位置決めされた状態で瞼を押し込んだ状態に維持する開瞼手段とを備える計測装置である。
請求項２に記載の発明は、前記開瞼手段は、眼球に沿って奥側に向けて開きながら瞼を奥側に押し込むように変形する弾性部材である請求項１記載の計測装置である。
請求項３に記載の発明は、前記開瞼手段は、被計測者の上眼瞼を抑える上眼瞼抑え部と、被計測者の下眼瞼を抑える下眼瞼抑え部とに分離されていることを特徴とする請求項１または２に記載の計測装置である。
請求項４に記載の発明は、前記出射手段および前記受光手段は、前記上眼瞼抑え部および前記下眼瞼抑え部の間において、一方が目頭側に配置され、他方が目尻側に配置されることを特徴とする請求項３に記載の計測装置である。
請求項５に記載の発明は、前記開瞼手段を瞼が開く向きに移動可能に支持する支持手段を備えることを特徴とする請求項１乃至４のいずれか１項記載の計測装置である。
請求項６に記載の発明は、駆動源と、前記駆動源からの駆動力を前記支持手段に伝達し瞼が開く向きに当該支持手段を移動させる伝達手段とを備えることを特徴とする請求項５に記載の計測装置である。
【発明の効果】
【０００８】
請求項１の発明によれば、単に照射手段および受光手段を角膜の頂部の位置よりも後側に配置する場合と比較し、前眼房を横切るように光を出射及び受光が容易な計測装置を提供することができる。また、請求項１の発明によれば、出射手段及び受光手段の位置決めと瞼を開かせる動作とが同時に行える。
請求項２の発明によれば、出射手段及び受光手段の位置決めと瞼を開かせる動作とが同時に行える。
請求項３の発明によれば、上眼瞼抑え部および下眼瞼抑え部を備えない場合に比べ、光路の確保が容易になる。
請求項４の発明によれば、他の配置と比べ、前眼房での光路を長く確保できる。
請求項５の発明によれば、支持手段を備えない場合に比べ、瞼を大きく開くことが容易になる。
請求項６の発明によれば、駆動源および伝達手段を備えない場合に比べ、瞼を閉じた状態で計測装置を適用することが可能となり、被計測者の心理的な不安が低減される。
【図面の簡単な説明】
【０００９】
【図１】本実施の形態が適用される光計測装置の構成の一例を示す図である。
【図２】眼球と光学系の光路との関係を説明する図である。
【図３】光計測装置によって、前眼房における眼房水に含まれる光学活性物質による偏光面の回転角（旋光度）を計測する方法を説明する図である。
【図４】瞼抑え部の構成を説明する図である。（ａ）は光計測装置を後側からみた斜視図であり、（ｂ）は瞼抑え部と瞼との関係を説明する図であり、（ｃ）は上眼瞼抑え部の構成図である。
【図５】（ａ）乃至（ｃ）は、瞼抑え部の作用を説明する図である。
【図６】他の実施形態１における光計測装置の構成を説明する図である。（ａ）は光計測装置を後側からみた斜視図であり、（ｂ）は（ａ）の矢印ＶＩｂにおける断面図である。
【図７】他の実施形態２における光計測装置の構成を説明する図である。（ａ）は光計測装置を後側からみた斜視図であり、（ｂ）は上眼瞼抑え部および連結部材の上面図であり、（ｃ）は（ｂ）の矢印ＶＩＩｃにおける断面図であり、（ｄ）は瞼抑え部の動作を説明する図である。
【図８】他の実施形態３における光計測装置の構成を説明する図である。（ａ）は光計測装置を後側からみた斜視図であり、（ｂ）は（ａ）の矢印ＶＩＩＩｂにおける断面図である。
【図９】変形例における光計測装置の構成を説明する図である。
【発明を実施するための形態】
【００１０】
以下、添付図面を参照して、本発明の実施の形態について説明する。
（光計測装置１）
図１は、本実施の形態が適用される光計測装置１の構成の一例を示す図である。光計測装置１は、被計測者が自らの手で光計測装置１を手で保持して、自ら眼球に装着（適用）することで計測を行える形状をしている。なお、図１に示す眼球１０は左目である。
この光計測装置（計測装置）１は、被計測者の眼球１０の前眼房１３（後述）における眼房水の特性の計測に用いる光学系２０、光学系２０を制御する制御部４０、光学系２０および制御部４０を保持する保持部５０、光学系２０を用いて計測されたデータに基づいて眼房水の特性を算出する算出部６０、被計測者の瞼に接触し瞼を抑える瞼抑え部７０を備えている。
【００１１】
なお、以下の説明において、図１に示す光計測装置１の紙面上側と紙面下側との方向を上下方向と呼ぶことがある。また、図１に示す被計測者の前側と被計測者の後側との方向を前後方向と呼ぶことがある。また、図１に示す光計測装置１の被計測者から見て内側（鼻側、目頭側）と外側（耳側、目尻側）との方向を内外方向と呼ぶことがある。
また、本実施の形態が適用される光計測装置１が測定する眼房水の特性とは、眼房水に含まれる光学活性物質による直線偏光の偏光面の回転角（旋光度αＭ）、円偏光に対する吸色度（円二色性）などをいう。なお、直線偏光の偏光面とは、直線偏光において電界が振動する面をいう。
【００１２】
さて、光学系２０は、眼球１０の前眼房１３（後述）に照射する光を発光する発光系２１と、前眼房１３を通過した光を受光する受光系２３とを備える。
【００１３】
まず、出射手段の一例である発光系２１は、発光部２５、偏光子２７、ミラー２９を備えている。
発光部２５は、発光ダイオード（ＬＥＤ）やランプのような波長幅が広い光源であってもよく、レーザのような波長幅が狭い光源であってもよい。なお、波長幅が狭い方が好ましい。また、少なくとも２以上の波長の光を出射するものであってもよい。
偏光子２７は、例えば、ニコルプリズムなどであって、入射した光から、予め定められた偏光面の直線偏光を通過させる。
ミラー２９は、光路２８を折り曲げるものであって、反射の前後において直線偏光をそのまま維持するものが好ましい。偏光面を回転させたり、直線偏光を楕円偏光にしたりするなど、偏光の状態を乱すものは好ましくない。なお、光路２８を折り曲げる必要がない場合は、ミラー２９を備えなくともよい。
【００１４】
次に、受光手段の一例である受光系２３は、補償子３１、検光子３３、受光部３５を備えている。
補償子３１は、例えばガーネット等を用いたファラデー素子などの磁気光学素子であって、磁場によって直線偏光の偏光面を回転させる。
検光子３３は、偏光子２７と同様の部材であって、予め定められた偏光面の直線偏光を通過させる。
受光部３５は、シリコンダイオードなどの受光素子であって、光の強度に対応した出力信号を出力する。
【００１５】
制御部４０は、光学系２０における発光部２５、補償子３１、受光部３５などを制御して、眼房水の特性に関する計測データを得る。
保持手段の一例である保持部５０は、光学系２０及び制御部４０を保持する略円筒状の筺体であり、被計測者が保持部５０を自分の手で保持して、自分の眼球に装着（適用）できる形状をしている。なお、図１に示す保持部５０は、円筒を軸方向と平行な面で切断した形状として示しているが、これは、光学系２０を見やすくするためである。また、保持部５０の形状は、他の形状であってもよく、例えば、断面が四辺形や楕円の筒状であってもよい。また、筒状の筐体において、装着する側と反対側の底面は開放されていてもよいし、他の部材でふさがれていてもよい。
算出部６０は、制御部４０から計測データを受信し、眼房水の特性を算出する。
【００１６】
瞼抑え部７０は、保持部５０に設けられるとともに、瞼（上眼瞼１８、下眼瞼１９、後述する図４（ｂ）参照）に接触させることで瞼を抑え、瞼を開いた状態で維持する。この瞼抑え部７０の構成については、後述する。
【００１７】
（眼球１０と光学系２０の光路２８との関係）
図２は、眼球１０と光学系２０の光路２８との関係を説明する図である。なお、図２においては、人（被計測者）を頭側（上側）から見た状態を示している。また、図２では光学系２０の一部が、顔内部に埋め込まれているように見えるが、これは顔表面の凹凸形状の関係でそのように見えているだけであり、実際は顔表面上に配置されている。
【００１８】
次に、図２を参照しながら、眼球１０と光学系２０の光路２８との関係について説明をする。
ここでは、まず眼球１０の構造について説明をし、次にこの眼球１０と光学系２０の光路２８との関係について詳細に説明する。
図２に示すように、眼球１０は、外形がほぼ球形であって、中央にガラス体１１がある。そして、レンズの役割をする水晶体１２が、ガラス体１１の一部に埋め込まれている。水晶体１２の前側に、前眼房１３があり、その前側に角膜１４がある。水晶体１２の周辺部は虹彩に囲まれ、その中心が瞳孔１５である。水晶体１２に接する部分を除いて、ガラス体１１は、網膜１６で覆われている。
【００１９】
ここで、前眼房１３は、角膜１４と水晶体１２とで囲まれた領域であって、眼球１０の球形からは、凸状に飛び出した領域である。この前眼房１３は、正面から見た形状が円形である。そして、前眼房１３は、眼房水で満たされている。
【００２０】
次に、眼球１０と光学系２０の光路２８との位置関係を説明する。
図２に示すように、光学系２０においては、眼房水の特性の計測に用いる光は、発光部２５から出射され、光路２８に沿って進み、受光部３５へと入射する。すなわち、発光部２５から出射された光は、偏光子２７を通過後、ミラー２９により前眼房１３を横切る方向（目に平行な方向）に折り曲げられる。そして、前眼房１３を横切る方向（内外方向）に通過する。さらに、前眼房１３を通過した光は、補償子３１、検光子３３を介して、受光部３５に入射する。
【００２１】
ここで、図２に示すように、発光系２１から出射された光は、内外方向における外側に向かう向きで、かつ前後方向における前側に向かう向きで、前眼房１３に入射する。また、前眼房１３を通過した光は、内外方向における外側に向かう向きで、かつ前後方向における後側に向かう向きで、受光系２３に入射する。
すなわち、発光系２１が前眼房１３に向けて出射する光が、前後方向における前側に向けて斜めに進むように、発光系２１（ミラー２９）は配置されている。さらに言い替えると、ミラー２９は、眼球１０の露出部（前眼房１３）の前側頂部よりも、後側（奥側）に配置されている。
また、前眼房１３から前後方向における後側に向けて斜めに進む光を受けるように、受光系２３（補償子３１）は配置されている。さらに言い替えると、補償子３１は、眼球１０の露出部（前眼房１３）の前側頂部よりも、後側に配置されている。
【００２２】
この配置は、次の理由による。すなわち、発光部２５から出射した光は、角膜１４を通過して、前眼房１３に入射する。このとき、角膜１４及び前眼房１３における眼房水の屈折率が空気（ｎ＝約１．０）より大きく（ｎ＝約１．３７）、前眼房１３及び角膜１４が凸状であるため、光路２８は、後側（眼球１０側）に曲げられる。また、前眼房１３を通過した後においても、光路２８は、さらに後側に曲げられる。そこで、この前眼房１３を通過することにより、後側に曲げられることを踏まえて、発光系２１および受光系２３は配置されている。
【００２３】
また、顔の目（眼球１０）の周囲には、鼻（鼻梁）が位置し、光学系２０を設定するスペースが少ない。さらに、光が前眼房１３から外れると、正確な計測が行えなくなる。よって、光が、前眼房１３から外れることなく、前眼房１３を横切るように通過するべく光路２８が設定されることが好ましい。
また、光が前眼房１３における眼房水を通過する長さである光路長の影響を受ける。このことから、光路長がばらつかないように、上述のように光路２８が設定されるとよい。なお、図示の光計測装置１においては、前眼房１３を横切るように光路２８を設定するので、光路長を長く設定することができる。
【００２４】
付言すると、眼球１０は外形がほぼ球であるとともに、光を入射させる側又は通過した光を受光する側のいずれかに鼻（鼻梁）が位置し、光学系２０を配置するスペースが狭い。
そこで、図示の光計測装置１においては、眼球１０に対して平行に近い角度で光を入射させ、前眼房１３を横切るように光路２８を設定するため、図１に示すように、ミラー２９を設け、鼻側の光路２８を折り曲げることで、スペースを有効に利用しようとしている。なお、光学系２０が小型であれば、光路２８を折り曲げることは必要でない。
【００２５】
なお、光路２８は、図示の構成に限定されるものではなく、発光部２５から出射された光が前眼房１３を横切るように通過し、受光部３５で受光されるように設定されていればよい。また、光が前眼房１３を横切るように通過するとは、眼球１０を正面から見た場合において、上下方向よりも内外方向に近い角度（つまり、内外方向の水平軸に対して±４５度未満の範囲）で通過することをいい、前後方向に斜めに通過する場合も含む。
【００２６】
（眼房水の計測）
次に、光計測装置１を用いて、前眼房１３における眼房水を計測し、眼房水のグルコース濃度の算出する例を説明する。
糖尿病患者は、血液内のグルコース濃度により、投与するインスリンの量が制御される。よって、糖尿病患者には、血液内のグルコース濃度を常に把握することが求められる。そして、血液中のグルコース濃度の計測としては、指先などを注射針で穿刺し、微量な血液を採取する方法がある。しかし、この方法においては、微量の血液であっても採血時には痛みを感じ、精神的な負担を伴う。そこで、穿刺などの侵襲式検査法に代わる、非侵襲式検査法の要求が高まっている。
【００２７】
ここで、血清とほぼ同じ成分である前眼房１３における眼房水には、タンパク質、グルコース、アスコルビン酸等が含まれている。そして、血液中のグルコース濃度と眼房水中のグルコース濃度とには、相関関係があることが知られている。さらに、眼房水中には、一般的に、血液中の細胞物質が存在せず、光散乱の影響が小さい。そして、眼房水に含まれるタンパク質、グルコース、アスコルビン酸等は光学活性物質であって、旋光性を有している。
そこで、本実施の形態が適用される光計測装置１においては、この眼房水を利用しながら、旋光性を備えるグルコースなどの濃度を光学的に計測する。
【００２８】
（光路設定）
さて、眼房水に含まれるグルコースなどの光学活性物質の濃度などを光学的に計測する手法において、設定することのできる光路は以下の２つがある。
１つは、図２に示す構成とは異なり、眼球１０に対して垂直に近い角度、すなわち前後方向に沿って光を入射させ、角膜１４と眼房水との界面又は眼房水と水晶体１２との界面で光を反射させ、反射した光を受光（検出）する光路である。もう１つは、図２に示す構成のように、前後方向と交差する角度、具体的には眼球１０に対して平行に近い角度で光を入射させ、前眼房１３における眼房水を通過した光を受光（検出）する光路である。
【００２９】
前者のように、眼球１０に対して垂直に近い角度で光を入射させる光路は、網膜１６に光が達するおそれがある。特に、発光部２５に、コヒーレント性が高いレーザを用いる場合、網膜１６に光が達することは好ましくない。
【００３０】
これに対し、後者のように、眼球１０に対して平行に近い角度で光を入射させる光路では、角膜１４を通して前眼房１３を横切るように光を通過させ、眼房水を通過した光を受光（検出）する。このため、光が網膜１６に達することが抑制される。
【００３１】
（光学活性物質の濃度算出）
図３は、光計測装置１によって、前眼房１３における眼房水に含まれる光学活性物質による偏光面の回転角（旋光度）を計測する方法を説明する図である。ここでは、説明を容易にするため、光路２８を折り曲げていない（直線である）構成として、ミラー２９の記載を省略している。
また、図３に示す発光部２５、偏光子２７、前眼房１３、補償子３１、検光子３３、および受光部３５のそれぞれの間において、光の進行方向から見た偏光の様子を円内の矢印で示している。
【００３２】
発光部２５は、ランダムな偏光面を持つ光を出射する。そして、偏光子２７は、予め定められた偏光面の直線偏光を通過させる。図３においては、例として、紙面に対して平行な偏光面の直線偏光が通過する。
偏光子２７を通過した直線偏光は、前眼房１３における眼房水に含まれる光学活性物質により、偏光面が回転する。図３では、偏光面は角度αＭ（旋光度αＭ）回転する。
【００３３】
次に、補償子３１に磁界を印加することで、前眼房１３における眼房水に含まれる光学活性物質により回転した偏光面を元に戻す。
そして、検光子３３を通過した直線偏光を受光部３５により受光し、光の強度に対応した出力信号に変換する。
【００３４】
ここで、光学系２０による旋光度αＭの計測方法の一例を説明する。
まず、発光部２５を出射した光が前眼房１３を通過させない状態において、発光部２５、偏光子２７、補償子３１、検光子３３、および受光部３５を含む光学系２０を用いながら、受光部３５による出力信号が最小になるよう、補償子３１及び検光子３３を設定する。図３に示す例において、光が前眼房１３を通過させない状態では、偏光子２７を通過した直線偏光の偏光面が、検光子３３を通過する偏光面と直交している。
【００３５】
次に、光が前眼房１３を通過する状態とする。すると、前眼房１３における眼房水に含まれる光学活性物質によって、偏光面が回転する。このため、受光部３５からの出力信号は、最小値から外れる。そこで、受光部３５からの出力信号が最小になるように、補償子３１に印加する磁場を設定する。すなわち、補償子３１により偏光面を回転させ、検光子３３を通過する偏光面と直交させる。
この補償子３１によって回転させた偏光面の角度が、眼房水に含まれる光学活性物質によって発生した旋光度αＭに対応する。ここで、補償子３１に印加した磁場の大きさと回転した偏光面の角度との関係は、事前に知られている。したがって、補償子３１に印加した磁場の大きさから、旋光度αＭが分かる。
【００３６】
具体的には、発光部２５から前眼房１３における眼房水に複数の波長λ（波長λ１、λ２、λ３、…）の光を入射し、それぞれに対して旋光度αＭ（旋光度αＭ１、αＭ２、αＭ３、…）を求める。これらの波長λと旋光度αＭとの組が、算出部６０に取り込まれ、求めたい光学活性物質の濃度が算出される。
なお、算出部６０により算出された光学活性物質の濃度は、光計測装置１が備える表示手段（不図示）に表示してもよいし、光計測装置１が備える出力手段（不図示）を介してＰＣ（Personal Computer）などの他の端末装置（不図示）に出力してもよい。
【００３７】
付言すると、眼房水には、前述したように複数の光学活性物質が含まれている。よって、計測された旋光度αＭは、複数の光学活性物質それぞれによる旋光度αＭの和である。そこで、計測された旋光度αＭから、求めたい光学活性物質の濃度を算出することが必要となる。求めたい光学活性物質の濃度の算出は、例えば、特開平０９-１３８２３１号公報（上記特許文献２）に開示されているような公知の方法を用いればよいので、ここでは説明を省略する。
【００３８】
また、図３では、偏光子２７の偏光面と検光子３３を通過する前の偏光面が共に、紙面に平行であるとしている。しかし、補償子３１によって予め偏光面が回転する場合には、検光子３３を通過する前の偏光面が紙面に平行な面から傾いていてもよい。すなわち、光が前眼房１３における眼房水を通過しない状態において、受光部３５の出力信号が最小になるように、補償子３１と検光子３３とを設定すればよい。
【００３９】
また、ここでは旋光度αＭを求める方法として補償子３１を用いた例を述べたが、補償子３１以外で旋光度αＭを求めてもよい。さらに、ここでは偏光面の回転角（旋光度αＭ）を測定する最も基本的な測定法である直交偏光子法（ただし補償子３１を使用）について示したが、回転検光子法やファラデー変調法、光学遅延変調法といった他の測定方法を適用してもよい。
【００４０】
（瞼抑え部７０の構造）
図４は、瞼抑え部７０の構成を説明する図である。さらに説明をすると、図４（ａ）は光計測装置１を後側からみた斜視図であり、図４（ｂ）は瞼抑え部７０と瞼との関係を説明する図であり、図４（ｃ）は上眼瞼抑え部７１の構成図である。なお、図４（ｃ−１）は上眼瞼抑え部７１の上面図、図４（ｃ−２）は上眼瞼抑え部７１の正面図、図４（ｃ−３）は上眼瞼抑え部７１の側面図、図４（ｃ−４）は図４（ｃ−２）の線ＩＶｃ−ＩＶｃにおける断面図である。
【００４１】
次に、図４を参照しながら、開瞼手段の一例である瞼抑え部７０について説明をする。
まず、光計測装置１によって眼房水を通過した光を検出して、グルコースなどの濃度を測定する際には、光路の障害となりえる瞼やまつ毛等の影響を抑制するために被計測者の眼（瞼）を開いた状態に維持することが好ましい。
そこで、図４（ａ）に示すように本実施の形態における光計測装置１は、被計測者の瞼を抑える瞼抑え部７０を備える。この瞼抑え部７０は、保持部５０の後側の端部に設けられる。図示の例においては、瞼抑え部７０は、上眼瞼抑え部７１と、下眼瞼抑え部７２とを備える。また、光計測装置１において、最も後側に突出する部分が、上眼瞼抑え部７１および下眼瞼抑え部７２である。
【００４２】
これらの上眼瞼抑え部７１および下眼瞼抑え部７２は、それぞれ発光系２１および受光系２３よりも上側と下側とにそれぞれ配置されている。言い替えると、光路２８を挟んで、上眼瞼抑え部７１と下眼瞼抑え部７２とが対峙して設けられる。
なお、図示の例における上眼瞼抑え部７１および下眼瞼抑え部７２は、保持部５０によって支持される。具体的には、上眼瞼抑え部７１および下眼瞼抑え部７２は、円筒状の本体５０Ａの後側の端部に固定して設けられ、かつ光路２８に沿って延びる上側支持部５０Ｂおよび下側支持部５０Ｃによってそれぞれ支持される。
付言すると、上眼瞼抑え部７１および下眼瞼抑え部７２と、発光系２１および受光系２３とを別体として、鼻やまつ毛などが存在する眼球１０周辺の限られた空間にそれぞれ個別に配置しようとすると互いの部材間での干渉が発生しやすくなるところ、保持部５０によって一体として支持されることにより、限られた空間における各部材の配置が容易となる。
【００４３】
さて、図４（ｂ）に示すように、上眼瞼抑え部７１および下眼瞼抑え部７２は、保持部５０における上眼瞼１８および下眼瞼１９と対峙する位置に設けられている。そして、この上眼瞼抑え部７１および下眼瞼抑え部７２が、上眼瞼１８および下眼瞼１９に押しあてられることにより、上眼瞼１８および下眼瞼１９の移動が制限された状態となる。すなわち、上眼瞼抑え部７１および下眼瞼抑え部７２は、上眼瞼１８および下眼瞼１９の移動を制限する制限手段の一例でもある。
【００４４】
次に、図４（ｃ）を用いて、上眼瞼抑え部７１および下眼瞼抑え部７２の形状について説明をする。なお、ここでは上眼瞼抑え部７１を用いて説明をするが、上眼瞼抑え部７１および下眼瞼抑え部７２は、上下方向を法線とする平面を基準として互いに対称形である（図４（ａ）参照）。
図４（ｃ）に示すように、上眼瞼抑え部７１は断面が円形（図４（ｃ−４）参照）の棒状部材（略円柱状の部材）である。また、上眼瞼抑え部７１の瞼に接触する外周面は滑らかに連続した曲面により形成されており、上眼瞼抑え部７１の瞼に接触する外周面には角部が形成されていない。
【００４５】
そして、上眼瞼抑え部７１は、上眼瞼１８（図４（ｂ）参照）に沿う形状、すなわち眼球１０（図４（ｂ））に沿って湾曲して設けられる。具体的には、図４（ｃ−１）乃至（ｃ−３）に示すように、長手方向における中央部が、前側に突出する向きに湾曲し、かつ上側に突出する向きに湾曲している。なお、図４（ａ）に示すように、上眼瞼抑え部７１および下眼瞼抑え部７２は、内外方向における中央側が、互いに離れる向きに湾曲するように配置される。
【００４６】
さて、この瞼抑え部７０（上眼瞼抑え部７１および下眼瞼抑え部７２）は、例えば、ケイ素樹脂（シリコーン）により形成される。なお、瞼抑え部７０は、他の樹脂や、金属などにより構成されてもよい。例えば、瞼抑え部７０は、塩ビなどにより形成される樹脂体にアクリル系粘着剤を塗布するなどして形成してもよい。さらに説明をすると、瞼抑え部７０の外周面に、例えば医療用粘着テープを設ける構成としてもよい。付言すると、瞼抑え部７０は、摩擦力が高く、かつ安全性の高い材料を用いることが好ましい。なお、後述するように、眼球１０に沿って瞼を眼球１０の奥側方向の上方および下方にそれぞれ押し込む場合は、瞼抑え部７０は、瞼に対して押し付けられると眼球１０に沿って奥側方向に向けて開きながら瞼を奥側に押し込むように変形する弾性部材で構成してもよい。
【００４７】
（瞼抑え部７０の作用）
図５（ａ）乃至（ｃ）は、瞼抑え部７０の作用を説明する図である。なお、図５においては、眼球１０周辺を内側（鼻側）から外側（耳側）へ向かう向きに見た状態を示している。
次に、図５を参照しながら、瞼抑え部７０の作用について説明をする。
上述のように構成された瞼抑え部７０（上眼瞼抑え部７１および下眼瞼抑え部７２）を被計測者の瞼（上眼瞼１８および下眼瞼１９）に押し当てることにより、上眼瞼１８および下眼瞼１９との間に間隙が形成される状態、すなわち瞼が開いた状態が維持される。そして、このことにより、前眼房１３の眼房水を通過する光路２８（図４参照）が確保される。
【００４８】
以下、具体的に説明をする。
まず、図５（ａ）は、光計測装置１（図１参照）が被計測者に装着（適用）される前、すなわち、瞼抑え部７０（上眼瞼抑え部７１および下眼瞼抑え部７２）が押しあてられる前の瞼（上眼瞼１８および下眼瞼１９）の状態を示す。この状態においては、上眼瞼１８および下眼瞼１９は自由に移動（開閉）できる。
【００４９】
次に、図５（ｂ）に示すように、被計測者の瞼に光計測装置１（図１参照）が装着される。すなわち、上眼瞼抑え部７１および下眼瞼抑え部７２が瞼（上眼瞼１８および下眼瞼１９）に接触する。このことにより、上眼瞼１８および下眼瞼１９それぞれの移動が制限される。そして、この状態から、瞼に対して光計測装置１をさらに押しつける。すなわち、上眼瞼抑え部７１および下眼瞼抑え部７２を、後側（眼球の奥側方向）へと移動させる（矢印Ａ１参照）。
すると、図５（ｃ）に示すように、上眼瞼１８および下眼瞼１９が眼球１０に沿って移動（矢印Ａ２，Ａ３参照）し、瞼が開いた状態となる。より具体的には、上眼瞼抑え部７１および下眼瞼抑え部７２が、発光系２１および受光系２３の位置決めに伴う押し付けによって、眼球１０の奥側方向の上方および下方に向けて移動することで、上眼瞼１８および下眼瞼１９が眼球１０の奥側方向に向けて押し込められ、これによって瞼が開く。
【００５０】
ここで、保持部５０は、瞼抑え部７０、発光系２１、受光系２３を一体として保持しており、位置決めの際に瞼抑え部７０が眼球１０の後側に向けて押し付けられるのに伴い、発光系２１および受光系２３も同時に後側に向けて移動する。そして、瞼抑え部７０または保持部５０が被計測者の眼球周辺の部位（頭蓋骨等）に当接（接触）して、それ以上後側への移動しなくなった位置に光計測装置１が位置決めされる。すなわち、保持部５０は、位置決めされてこの瞼が開いた状態において、発光系２１から出射される光が眼球の前眼房１３を横切り、横切った光が受光系２３によって受光される位置に発光系２１と受光系２３とを保持している。このような構成により、開瞼と発光系２１および受光系２３の位置決めとが同時に行われる。そして、瞼が開いた状態において、眼房水に光を通過させ、グルコース濃度等が測定される。
【００５１】
なお、測定終了後に、光計測装置１（図１参照）が被計測者から外されると、上眼瞼抑え部７１および下眼瞼抑え部７２が、瞼（上眼瞼１８および下眼瞼１９）から離れ、上眼瞼１８および下眼瞼１９の移動の制限がなくなる。
また、図示の例とは異なり、図５（ａ）に示す状態よりも大きく瞼（上眼瞼１８および下眼瞼１９）を開いた状態、言い替えると、目が開かれた通常の状態で、光計測装置１（図１参照）が被計測者に装着される場合がある。この場合であっても、上眼瞼抑え部７１および下眼瞼抑え部７２がそれぞれ上眼瞼１８および下眼瞼１９と接触し、上眼瞼１８および下眼瞼１９の移動を制限した状態となるため、瞼が開いた状態が維持される。なお、図５における上眼瞼抑え部７１および下眼瞼抑え部７２の位置や瞼の形状は、実施例の特徴を分かり易く説明するためのものであり、必ずしも実際の部材の位置や瞼の状態を示しているものではない。
【００５２】
また、本実施形態では、上眼瞼抑え部７１および下眼瞼抑え部７２が、上眼瞼１８および下眼瞼１９を眼球１０の奥側方向に向けて押し込む構成を説明したが、上眼瞼１８および下眼瞼１９に接触することで移動を制限する構成であれば、押し込む構成でなくてもよい。さらに、上眼瞼１８や下眼瞼１９以外の被計測者の眼球１０周辺に接触することで、上眼瞼１８や下眼瞼１９の移動を制限する構成であってもよい。
また、本実施形態では、後述する実施形態のように、モータＭ１などの駆動手段によって、上眼瞼抑え部７１および下眼瞼抑え部７２を、眼球１０の奥側方向の上方および下方に向けて移動することで、上眼瞼１８および下眼瞼１９を眼球１０の奥側方向に向けて押し込むように構成してもよい。
【００５３】
（他の実施形態１）
図６は、他の実施形態１における光計測装置１０１の構成を説明する図である。さらに説明をすると、図６（ａ）は光計測装置１０１を後側からみた斜視図であり、図６（ｂ）は図６（ａ）の矢印ＶＩｂにおける断面図である。
【００５４】
次に、図６を参照しながら、他の実施形態１について説明する。
上述の図１などに示す光計測装置１においては、瞼抑え部７０の位置が固定されている構成を説明したが、これに限定されない。例えば、図６（ａ）に示す光計測装置１０１のように、瞼抑え部７００（上眼瞼抑え部７１０および下眼瞼抑え部７２０）が、移動可能に設けられてもよい。
【００５５】
具体的に説明をすると、図６（ａ）に示す光計測装置１０１は、モータ（駆動源）Ｍ１と、モータＭ１からの駆動力を伝達するギア群（伝達手段）７３０と、内外方向に沿って延びる回転軸７１１，７２１と、上眼瞼抑え部７１０および下眼瞼抑え部７２０にそれぞれ接続される連結部材（支持手段）７１３，７２３とを備える。なお、これらのモータＭ１、ギア群７３０、回転軸７１１，７２１、連結部材７１３，７２３は、保持部５００の内側に設けられる。また、光計測装置１０１は、モータＭ１を駆動させる契機となる操作ボタン７４０を備える。
【００５６】
ここで、図６（ｂ）に示すように、ギア群７３０は、モータＭ１からの駆動を受け回転するギア７３１およびギア７３３を備える。このギア７３１およびギア７３３は、回転軸７１１，７２１を中心に回転する。
また、図６（ｂ）に示すように、連結部材７１３，７２３は、それぞれ、前側の一端にギア７３１およびギア７３３、後側の他端に上眼瞼抑え部７１０および下眼瞼抑え部７２０が接続される。
【００５７】
この光計測装置１０１の動作について説明をする。
まず、被計測者の瞼に光計測装置１０１が装着され、上眼瞼抑え部７１０および下眼瞼抑え部７２０が上眼瞼１８および下眼瞼１９（図４（ｂ）参照）に接触する。
この状態において、例えば被計測者が操作ボタン７４０を操作することにより、モータＭ１が駆動する。このモータＭ１の駆動に伴い、ギア７３１，７３３および連結部材７１３，７２３を介して、上眼瞼抑え部７１０および下眼瞼抑え部７２０が互いに離間する向きに移動する（矢印Ｂ１，Ｂ２参照）。このことにより、上眼瞼１８および下眼瞼１９が開かれる。このようにして、上眼瞼抑え部７１０および下眼瞼抑え部７２０が開いた状態で、光計測装置１０１が眼球１０に対して位置決めされた状態となる。
【００５８】
ここで、保持部５００は、上眼瞼抑え部７１０および下眼瞼抑え部７２０が開いた状態で、発光系２１から出射される光が眼球１０の前眼房１３を横切り、横切った光が受光系２３によって受光される位置に発光系２１と受光系２３とを保持しているため、計測時においては、上眼瞼１８および下眼瞼１９を開かせた状態で前眼房１３を横切る光路２８が確保される。
なお、例えば、保持部５００の一部分が被計測者の眼球１０周辺の部位（額や頬など）に当接して光計測装置１０１の前後方向の位置決めがされ、その状態において、上眼瞼抑え部７１０および下眼瞼抑え部７２０が上眼瞼１８および下眼瞼１９に接触した状態となるように構成してもよい。
【００５９】
すなわち、保持部５００が被計測者の眼球１０周辺の部位に当接する当接部を備え、この当接部によって発光系２１および受光系２３の前後方向の位置決めがされ、この位置決め動作によって上眼瞼抑え部７１０および下眼瞼抑え部７２０を上眼瞼１８および下眼瞼１９に接触させ、その後にモータＭ１の駆動によって上眼瞼１８および下眼瞼１９を開かせるようにしてもよい。
言い換えれば、上眼瞼抑え部７１０および下眼瞼抑え部７２０は、眼球１０に対する発光系２１および受光系２３の位置決め動作によって眼球１０の周辺の皮膚に接触する位置であって、発光系２１および受光系２３が眼球１０に対して位置決めされた状態で上眼瞼１８および下眼瞼１９を開閉可能とする位置に設けられている。
そして、発光系２１、受光系２３、上眼瞼抑え部７１０および下眼瞼抑え部７２０がこのような位置関係で保持部５００に保持されていれば、発光系２１および受光系２３の眼球１０への位置決めと、上眼瞼抑え部７１０および下眼瞼抑え部７２０の上眼瞼１８および下眼瞼１９への位置決めとが同時に行われる。
【００６０】
また、上眼瞼抑え部７１０および下眼瞼抑え部７２０を駆動する機構を使用することで、発光系２１および受光系２３の眼球１０に対する位置決め動作とは無関係に、上眼瞼抑え部７１０および下眼瞼抑え部７２０の開閉動作を行うことができるため、開閉動作に伴う発光系２１と受光系２３の位置ずれが生じにくい。
さらに、上眼瞼抑え部７１０および下眼瞼抑え部７２０の当接によって発光系２１と受光系２３の前後方向の位置決めがされるわけではなく、保持部５００の当接部が被計測者の眼球１０周辺の部位に当接して位置決めがされるため、位置決めされた状態であっても上眼瞼抑え部７１０および下眼瞼抑え部７２０の開閉動作が容易となる。
なお、図６（ａ）の保持部５００における当接部の一例としては、上眼瞼抑え部７１０および下眼瞼抑え部７２０の両側に位置する保持部５００の領域が相当するが、これに限らず、必要に応じて、筒型の形状の保持部５００から突出するように当接部材を設けてもよい。また、当接する位置は眼球１０周辺に限定されず、被計測者の顔面の任意の位置でよい。
【００６１】
また、光計測装置１０１においては、モータＭ１を駆動させることで、より確実に瞼を開かせ得る。
付言すると、例えば被計測者が瞼を閉じた状態で光計測装置１０１を装着した場合であっても、装着後に光計測装置１０１によって瞼が開かれる。このことにより、被計測者が光計測装置１０１を装着する際に生じ得る、心理的な不安が低減される。
なお、本実施形態の変形例として、保持部５００における当接部と上眼瞼抑え部７１０および下眼瞼抑え部７２０との位置関係を利用し、上眼瞼抑え部７１０および下眼瞼抑え部７２０の接触によって上眼瞼１８および下眼瞼１９の動きを制限するとともに、上眼瞼１８および下眼瞼１９を開いた状態に維持し、その状態で計測を行ってもよい。すなわち、駆動源などを有さず、駆動しない上眼瞼抑え部７１０および下眼瞼抑え部７２０によって、上眼瞼１８および下眼瞼１９を開いた状態に維持してもよい。
【００６２】
（他の実施形態２）
図７は、他の実施形態２における光計測装置２０１の構成を説明する図である。さらに説明をすると、図７（ａ）は光計測装置２０１を後側からみた斜視図であり、図７（ｂ）は上眼瞼抑え部８１０および連結部材８１３の上面図であり、図７（ｃ）は図７（ｂ）の矢印ＶＩＩｃにおける断面図であり、図７（ｄ）は瞼抑え部８００の動作を説明する図である。
【００６３】
次に、図７を参照しながら、他の実施形態２について説明する。
上述の図６に示す光計測装置１０１においては、連結部材７１３，７２３のように保持部５００の内側から瞼抑え部７００を支持する構成を説明したが、これに限定されない。例えば、図７（ａ）に示す光計測装置１０１のように、内外方向の一方側（外側）から瞼抑え部８００（上眼瞼抑え部８１０および下眼瞼抑え部８２０）が支持される構成であってもよい。
【００６４】
具体的に説明をすると、図７（ａ）に示す光計測装置１０１は、モータＭ２と、モータＭ２からの駆動力を伝達するギア群８３０（ギア８３１，８３３）と、上眼瞼抑え部８１０および下眼瞼抑え部８２０にそれぞれ接続される連結部材８１３，８２３と、モータＭ２を駆動させる契機となる操作ボタン８４０とを備える。なお、図示は省略するが、モータＭ２、ギア群８３０（ギア８３１，８３３）、連結部材８１３，８２３は、保持部５０５によって支持されて設けられる。
【００６５】
ここで、図７（ｂ）および（ｃ）に示すように、連結部材８１３は、略円柱状の所謂棒状部材である。そして、この連結部材８１３は、内外方向に沿って設けられるとともに、内側端部に上眼瞼抑え部８１０が接続され、外側端部にギア８３１が接続される。また、この連結部材８１３は、前後方向における後側に突出する向きに湾曲する湾曲部８１３Ａと、湾曲部８１３Ａの外側端部と連続する直線部８１３Ｂとを備える。なお、この直線部８１３Ｂは、ギア８３１の回転軸と同軸である。
なお、詳細な説明は省略するが、連結部材８２３は、連結部材８１３と同様に、湾曲部８２３Ａおよび直線部８２３Ｂを備える構成である。
【００６６】
この光計測装置２０１の動作について説明をする。
まず、被計測者の瞼に光計測装置２０１が装着され、上眼瞼抑え部８１０および下眼瞼抑え部８２０が上眼瞼１８および下眼瞼１９（図４（ｂ）参照）に接触する。
この状態により、例えば被計測者が操作ボタン８４０を操作することにより、モータＭ２が駆動する。このモータＭ２の駆動に伴い、ギア８３１，８３３を介して、連結部材８１３，８２３が回転する。このことにともない、上眼瞼抑え部８１０および下眼瞼抑え部８２０が互いに離間するとともに上眼瞼１８および下眼瞼１９を眼球１０に沿って奥側方向に押し込む向きに移動する（矢印Ｃ１，Ｃ２参照）。このことにより、上眼瞼１８および下眼瞼１９が開かれる。
このように、内外方向の一方側から上眼瞼抑え部８１０および下眼瞼抑え部８２０を支持する構成により、光計測装置２０１の保持部５０５内の空間を確保することが可能となる。
【００６７】
（他の実施形態３）
図８は、他の実施形態３における光計測装置３０１の構成を説明する図である。さらに説明をすると、図８（ａ）は光計測装置３０１を後側からみた斜視図であり、図８（ｂ）は図８（ａ）の矢印ＶＩＩＩｂにおける断面図である。
【００６８】
次に、図８を参照しながら、他の実施形態３について説明する。
上述の図６および図７においては、駆動源からの駆動力を受け瞼抑え部７００，８００が移動する構成を説明したが、これに限定されない。例えば、図８（ａ）に示す光計測装置３０１のように、瞼抑え部９００（上眼瞼抑え部９１０および下眼瞼抑え部９２０）が、光計測装置３０１を被計測者に対して押しつける力により移動する構成であってもよい。
【００６９】
具体的に説明をすると、図８（ａ）および（ｂ）に示す光計測装置３０１は、保持部５１０の後側を覆う切頭円錐状の覆い面５１０Ａと、この覆い面５１０Ａの外周面に沿って設けられかつ長手方向が上下方向に延びる案内溝５１０Ｂとを備える。また、光計測装置３０１は、案内溝５１０Ｂ内で移動可能に設けられるピン状の被案内部９１１，９２１と、被案内部９１１と上眼瞼抑え部９１０とを接続する連結部材９１３と、被案内部９２１と下眼瞼抑え部９２０とを接続する連結部材９２３と、連結部材９１３，９２３をそれぞれ付勢するスプリング９３０，９４０とを備える。ここで、スプリング９３０，９４０は、連結部材９１３，９２３にそれぞれ接続された上眼瞼抑え部９１０および下眼瞼抑え部９２０が互いに接近する向きに、連結部材９１３，９２３を付勢する。
【００７０】
この光計測装置３０１の動作について説明をする。
まず、被計測者の瞼に光計測装置３０１が装着され、上眼瞼抑え部９１０および下眼瞼抑え部９２０が上眼瞼１８および下眼瞼１９（図４（ｂ）参照）に接触する。
そして、例えば被計測者が、上眼瞼１８および下眼瞼１９に対して光計測装置３０１をさらに押しつける力を加えることにより、スプリング９３０，９４０による付勢力に対向しながら、連結部材９１３，９２３の被案内部９１１，９２１が、案内溝５１０Ｂ内を移動する。このことにより、連結部材９１３，９２３に接続された上眼瞼抑え部９１０および下眼瞼抑え部９２０が、互いに離間する向きに移動する（矢印Ｄ１，Ｄ２参照）。その結果、上眼瞼１８および下眼瞼１９が開かれる。
このように、光計測装置３０１においては、駆動源からの駆動力を受けずに、被計測者が光計測装置３０１を上眼瞼１８および下眼瞼１９に押しつける力を利用して、確実に瞼を開かせ得る。
【００７１】
（変形例）
図９は、変形例における光計測装置４０１の構成を説明する図である。
さて、上記の説明においては、受光系２３は内外方向に沿って配置される構成として説明をしたがこれに限定されるものではない。
例えば、図９に示す光計測装置４０１のように、受光系２３０を前後方向に沿って設ける構成としてもよい。この受光系２３０は、例えば受光系２３０における後側の端部に設けられ、前眼房１３（図２参照）を通過した光を受け前後方向の前側に向けて反射させるミラー２９０を備える。
光計測装置４０１のように、受光系２３０を前後方向に沿って設けることにより、内外方向の寸法を抑制することができる。また、例えば光計測装置４０１が、左右いずれの眼球１０（図２参照）でも使用可能となり得る。
【００７２】
さて、上記の説明においては、瞼抑え部７０が、複数の部材（上眼瞼抑え部７１および下眼瞼抑え部７２）により構成されることを説明したが、これに限定されない。例えば、瞼抑え部７０が、上眼瞼抑え部７１および下眼瞼抑え部７２のいずれか一方により構成されてもよい。あるいは、上眼瞼抑え部７１および下眼瞼抑え部７２が一体として形成される構成でもよい。
【００７３】
また、上眼瞼抑え部７１および下眼瞼抑え部７２は、上記と異なる形状であってもよい。例えば、上眼瞼抑え部７１および下眼瞼抑え部７２は、湾曲していなくてもよい。さらに説明をすると、上眼瞼１８および下眼瞼１９（図４（ｂ）参照）の少なくともいずれかと接触し、上眼瞼１８および下眼瞼１９との間に光が通過可能な程度の間隙が形成される状態を維持することができれば、球状の部材や、板状の部材など、他の形状であってももちろんよい。
また、上眼瞼抑え部７１および下眼瞼抑え部７２のいずれか一方を、図６乃至図８で説明したような移動可能な構成にし、他方を図１などで説明した固定とする構成であってもよい。例えば、上眼瞼抑え部７１を可動とし、下眼瞼抑え部７２を固定とする構成であってもよい。さらに、上眼瞼抑え部７１および下眼瞼抑え部７２のいずれか一方のみを有する構成であってもよい。
【００７４】
また、瞼抑え部７０（上眼瞼抑え部７１および下眼瞼抑え部７２）は、被計測者の瞼を抑える構成として説明をしたが、被計測者の眼球１０周辺の皮膚などに接触して、被計測者の瞼を開いた状態に維持する構成であれば、これに限定されない。
なお、被計測者の眼球１０周辺とは、瞼抑え部７０が接触することにより、上眼瞼１８および下眼瞼１９の少なくともいずれか一方の移動（開閉）が多少でも制限される範囲の領域をいう。また、被計測者の眼球１０周辺であって、瞼以外の部分としては、例えば被計測者の眉２６（図４（ｂ）参照）やこめかみ、頬などがある。
また、上記の説明における「瞼の移動を制限」および「瞼を開いた状態に維持」とは、瞼等の眼球周辺の部位に何も接触していない状態と比較して、多少でも瞼の閉じる方向への動きが制限される状態を言い、完全に制限される状態や完全に維持される状態を意味するものではない。なお、被計測者の瞬きの動作によって光路２８が遮られない応力で制限や維持をする構成であれば、瞬きの動作の影響を受けずに計測ができる。
【００７５】
また、上記の説明においては、眼房水に含まれる求めたい光学活性物質の濃度を算出する方法を説明したが、眼房水の他の特性を計測するように構成してもよい。
また、眼房水に関する特性のみならず、光路２８に存在する角膜等に関する特性を求めるために本実施の形態で説明した構成を応用してもよい。すなわち、眼球１０の外部から光を入射させ、角膜１４及び前眼房１３内の眼房水に光を通過させることで、眼球１０に関する特性を求めるものであれば、本実施の形態で説明した構成が適用できる。
また、本実施の説明では、左目の眼球１０で説明したが、光計測装置１を右目の眼球（不図示）に適用してももちろんよい。
【００７６】
また、上記の説明においては、被計測者が光計測装置１を手で保持して自ら装着を行う方法を示したが、例えば計測を行う計測者や計測を補助する補助者など、被計測者以外の人が光計測装置１を手で保持して、被計測者に対して装着を行ってもよい。また、光計測装置１を固定した状態で、被計測者が自らの顔面を光計測装置１に向けて移動させることで装着してもよい。さらに、光計測装置１を被計測者の前後方向に移動させることが可能な駆動手段を使用し、被計測者の顔面の位置を固定した状態で駆動手段によって装着してもよい。
また、上記の説明においては、発光系２１、受光系２３、瞼抑え部７０が保持部５０によって一体となった構成で説明したが、必ずしも一体で構成されていなくてもよい。
【００７７】
また、上記の説明においては、瞼抑え部７０を駆動させる場合に、駆動源としてモータＭ１などを使用し、その動力をギア７３１や連結部材７１３などの伝達手段や支持手段を介して瞼抑え部７０に伝達する構成を説明したが、モータＭ１などを使用せずに人の手によって伝達手段や支持手段を介して瞼抑え部７０を開閉させる構成であってもよい。さらに、伝達機構を用いずに人の手によって瞼抑え部７０を直接開閉させる構成であってもよい。
【００７８】
また、上記では種々の実施形態および変形例を説明したが、これらの実施形態や変形例どうしを組み合わせて構成してももちろんよい。
また、本開示は上記の実施形態に何ら限定されるものではなく、本開示の要旨を逸脱しない範囲で種々の形態で実施することができる。
【符号の説明】
【００７９】
１…光計測装置、１０…眼球、１３…前眼房、２０…光学系、２１…発光系、２３…受光系、５０…保持部、７０…瞼抑え部、７１…上眼瞼抑え部、７２…下眼瞼抑え部
【要約】
【課題】単に照射手段および受光手段を角膜の頂部の位置よりも後側に配置する場合と比較し、前眼房を横切るように光を出射及び受光が容易な計測装置を提供する。
【解決手段】本発明の光計測装置１は、被計測者の眼球１０周辺の皮膚に接触して被計測者の上眼瞼１８および下眼瞼１９を開いた状態に維持する瞼抑え部７０と、瞼抑え部７０によって上眼瞼１８および下眼瞼１９が開かれた状態において、眼球１０の前眼房に光を出射する発光系２１と、瞼抑え部７０によって上眼瞼１８および下眼瞼１９が開かれた状態において、発光系２１から出射され前眼房を横切った光を受光する受光系２３とを備える。
【選択図】図４【図１】
0005900696.tif 000002
【図２】
0005900696.tif 000003
【図３】
0005900696.tif 000004
【図４】
0005900696.tif 000005
【図５】
0005900696.tif 000006
【図６】
0005900696.tif 000007
【図７】
0005900696.tif 000008
【図８】
0005900696.tif 000009
【図９】
0005900696.tif 000010